(57)【特許請求の範囲】
【請求項１】
既設管に液密に装着されたサドルを介して前記既設管の上部に接続される分岐用仕切弁であって、
分岐用仕切弁は、前記サドルに接続される第１接続口と対向する端部に穿孔装置を取付けるための第２接続口を設けた直管と、該直管の横方向に設けられた分岐管と、前記直管に分岐管とほぼ対向して配設された仕切弁とで構成され、
前記分岐管と、直管との接続部に、前記仕切弁の弁体と当接可能な堰が設けられるとともに、前記堰の上方に前記直管から分岐管へ連通する流出口が形成されていることを特徴とする分岐用仕切弁。
【請求項２】
前記堰は、前記弁体との当接部に分岐管と連通する複数の貫通孔が形成されている請求項１に記載の分岐用仕切弁。
【請求項３】
前記堰の前記弁体との当接部が、前記流出口下方の直管部内壁をそのまま上方に延設させた形状に形成されている請求項１又は２に記載の分岐用仕切弁。
【請求項４】
前記直管からの流出口が、前記堰の上方部位にあって前記直管の内径より大なる横幅の偏平形状である請求項１ないし３のいずれかに記載の分岐用仕切弁。
【請求項５】
仕切弁が前記堰に当接した状態で、前記堰の上端面と仕切弁の上面とがほぼ面一である請求項１ないし４のいずれかに記載の分岐用仕切弁。
【発明の詳細な説明】
【０００１】
【発明の属する技術分野】
本発明は、分岐用仕切弁に関し、特に既設管の上方にサドルを介して接続される分岐用仕切弁の横分岐管を低位置に設定することを可能ならしめた分岐用仕切弁に関する。
【０００２】
【従来の技術】
一般に、水道本管１等の既設管は、図６に示すように道路等の所定深さの地下に埋設され、この水道本管１の他にも下水管２や図示しない電気用ケーブルたは電話用ケーブル等の埋設物が輻輳している。
【０００３】
このように地中に埋設された水道本管１には、都市計画の変更や、新規ビルや家屋の建設に伴い、これら新規ビル等へ分岐管を不断流状態で接続しなければならない。
【０００４】
この場合、水道本管１の近傍には同程度の深さに下水管２等の多くの埋設物が輻輳しているため、この水道本管１の横側から分岐配管を取り出すことは困難である。
【０００５】
他の方法として、水道本管１に装着した割Ｔ字管３の上部に止水弁４を立上げて取付け、この止水弁４から横方向に分岐配管５を取出す方法がある。
【０００６】
このようにすれば、ほぼ同一深さに埋設されている他の配管との干渉は避けられるものの、水道本管１の地面Ｇからの深さ（土被りＨ）が浅い所では、分岐配管５の地面Ｇからの土被りｈは更に浅くなり、重量車輌等が頻繁に通行する場所では分岐配管５が破損することとなる。
【０００７】
そこで、水道本管１からの弁の立上がりを低くするため、水道本管１に装着されるサドル６に直接ボール弁７を組込んだ図７に示されるような分岐弁ＢＶが提案されている。
【０００８】
この分岐弁ＢＶは、サドル６の接続口Ｐに連通可能に接続され上方端部に穿孔装置取付用の接続口８を設けた直管９と、この直管９の横方向に分岐配管用接続口１０を設けた分岐管１１と、直管９に分岐管１１と対向して配設された弁操作部１２と、サドル６の接続口Ｐと分岐管１１側とを開閉すべく、直管９の分岐管１１との交叉部に水密に介挿されたボール弁７とで構成されている。このボール弁は、常時接続口８側に開放している。
【０００９】
この分岐弁ＢＶを使用し分岐工事を行う場合、まず直管９の接続口８とボール弁７の穴を介して穿孔装置Ｃにより水道本管１に連通孔１３を穿孔し、穿孔装置Ｃのカッターを引上げる。このカッターがボール弁７を通過した後、図７に示されるようにボール弁７を閉じ、さらに穿孔装置Ｃを外し、キャップ１４によりこの接続口８を閉塞する。
【００１０】
【発明が解決しようとする課題】
この工事にあっては、ボール弁７が閉塞位置になるまで、接続口８内には穿孔装置Ｃのカッターが存在しているため、カッター及びその近傍に付着した切粉等がこの接続口８内に沈殿して残留していることが多い。
【００１１】
従って、このため、キャップＡを外し、図８に示すように接続口１０に分岐配管５を接続し、本管１から水道水を分岐配管５に流した場合、この本管１からの水道水の流出と共に水道本管１の連通孔１３を穿孔した際の切粉等の残留物が分岐配管５の方へ流出してしまう危険があった。また、接続口８内に切粉等が残留してしまうと、これが赤さび等の流出を引き起こすこともある。
【００１２】
本発明は、上記問題点を解決するためになされたもので、既設管の上部に接続される分岐用仕切弁の横分岐管を低位置に設定することで、横分岐管に接続される分岐配管の土被りを必要量確保することができると共に、分岐用仕切弁内に残留物を滞留させることなく容易に取出すことができる分岐用仕切弁を提供することを目的としている。
【００１３】
【課題を解決するための手段】
本発明の分岐用仕切弁は、既設管に液密に装着されたサドルを介して前記既設管の上部に接続される分岐用仕切弁であって、
分岐用仕切弁は、前記サドルに接続される第１接続口と対向する端部に穿孔装置を取付けるための第２接続口を設けた直管と、該直管の横方向に設けられた分岐管と、前記直管に分岐管とほぼ対向して配設された仕切弁とで構成され、
前記分岐管と、直管との接続部に、前記仕切弁の弁体と当接可能な堰が設けられるとともに、前記堰の上方に前記直管から分岐管へ連通する流出口が形成されていることを特徴としている。
この特徴により、横方向の分岐管の高さ位置を低い位置に設定することができ、分岐管に接続される分岐配管の土被り量を必要量確保することができるとともに、堰の上方に設けた流出口が直管の第２接続口と常時連通しているため、この中に滞留している残留物を分岐管より容易に取出すことができ、分岐配管の接続時における切粉等の下流流下を防止でき、信頼性を得ることができる。
【００１４】
本発明の分岐用仕切弁は、堰が前記弁体との当接部に分岐管と連通する複数の貫通孔を形成することができる。
このようにすれば、堰上方の流出口の他に分岐管へ流出する流量を更に増加させることができるので、そのぶん流出口の縮小が可能となり分岐管の高さ位置を更に低い位置に設定することができる。
【００１５】
本発明の分岐用仕切弁は、堰が弁体との当接部を前記流出口下方の直管部内壁をそのまま上方に延設させた形状で形成することもできる。
このようにすれば、仕切弁の弁体形状を変えることなく汎用の仕切弁がそのまま使用できるので、製造原価を低減させることができる。
【００１６】
本発明の分岐用仕切弁は、直管からの流出口を、前記堰の上方部位にあって前記直管内径より大なる横幅の偏平形状に形成できる。
このようにすれば、流出口をより低くでき、かつ大流量を確保できる。
【００１７】
本発明の分岐用仕切弁は、仕切弁が前記堰に当接した状態で、前記堰の上端面と仕切弁の上面とがほぼ面一にできる。
このようにすれば、第２接続口内の滞留物をより完全に外部に排出できる。
【００１８】
【発明の実施の形態】
以下、実施の形態を挙げ図面に基づいて本発明を説明する。図１は本発明の一実施形態を示す分岐用仕切弁の断面図であり、図２は図１の平面部分断面図である。尚、従来の分岐用仕切弁と同一構成部分は同一参照符号を付しその詳細な説明は省略する。図１および図２において、１は既設管である水道本管を示し、１５はサドルを示す。
【００１９】
分岐用仕切弁ＳＶは、水道本管１に水密に装着されたサドル１５の接続口１６に装着されている。この分岐用仕切弁ＳＶは、サドルに接続される第１接続口１７に対向する端部に後述する穿孔装置を取付けるための第２接続口１８を設けた直管１９と、この直管１９の横方向に設けられた分岐管２０と、直管１９に分岐管２０と対向して配設された仕切弁２１とで構成される。
【００２０】
そして、分岐管２０と直管１９との接続部には堰２２が設けられ、この堰２２は仕切弁２１の弁体２３と当接可能な位置に配設されると共に、堰２２の上方には分岐管への流出量を確保するに必要な偏平流出口２４が形成されている。２５は、直管１９上端部の第２接続口１８を閉塞するキャップを示す。
【００２１】
この第２接続口１８には、後述する穿孔装置が取付けられ、水道本管１に連通孔２６が穿孔される。穿孔が終ると、穿孔装置のカッターが引上げられ、仕切弁２１の弁体２３の水平移動位置を通過した後、弁体２３が閉じられ、穿孔装置は第２接続口１８から外される。そして第２接続口１８はキャップ２５で閉塞される。
【００２２】
ここで、分岐管２０への流出口２４に設けられている堰２２は、流出口２４下方の直管部１９の内壁をそのまま上方に延設させた円弧状をしており、この部分が弁体２３の先端２３ａと当接して弁座となる当接部２７を形成している。
【００２３】
このように弁体２３との当接部２７の形状が特殊の形状でなく、汎用の仕切弁２１用弁体２３の先端形状に近いため、特殊な弁体を用意する手間が省け、コストを低減させることができる。
【００２４】
また、直管１９からの流出口２４は、堰２２の上方部位にあって直管１９の内径より大なる横幅の偏平形状に形成されているため、分岐管への流体の流出量を直管内の流量と同程度に確保できるようになっている。
【００２５】
これにより、分岐管２０の高さ位置を低い位置に設定することができるので、この分岐管２０に接続される分岐配管２８の土被りを必要量確保することができる。
【００２６】
次に、図４に示す分岐用仕切弁の他の実施形態につき説明する。尚、前述した分岐用仕切弁と同一構成部分は同一参照符号を付しその詳細な説明は省略する。
【００２７】
本実施形態は、分岐管２０への流出口２４に設けられた堰２２の、仕切弁２１用弁体２３の先端２３ａが当接する部位に分岐管２０側と連通する複数の貫通孔２９、３０を形成したものである。
【００２８】
このように、流出口２４の他に、堰２２の弁体２３先端２３ａの当接部に複数の貫通孔２９、３０を設けることにより、分岐管２０への流出量が増大できるので、流出口２４の面積を更に縮小し偏平に形成することができるため、分岐管２０の位置を更に低位置に設定することができる。
【００２９】
次に、本発明の分岐用仕切弁の第１の実施形態について動作を説明する。図３に示すように、分岐用仕切弁ＳＶは、水道本管１に水密に装着されたサドル１５の接続部１６に第１接続口１７を螺着して装着されている。
【００３０】
まず、直管１９上端の第２接続口１８に穿孔装置Ｃを取付け、弁体２３を図１のように開放して直管１９内部にカッターを挿通させて不断流のまま水道本管１に連通孔２６を穿孔する。
【００３１】
水道本管１の穿孔が完了すると、切片とともにカッターを引上げ、このカッターが弁体２３の移動位置の上方に到達した後、仕切弁２１の操作部３１を操作して図３に示すように弁体２３を閉じる。
【００３２】
この状態で穿孔装置Ｃを第２接続口１８から外し、この第２接続口１８を図１に示されるようにキャップ２５で閉塞し、次にキャップＡを分岐管２０から外して図１に示すように分岐配管２８を代りに取付ける。なお、キャップ２５はキャップＡを外した後に取付けてもよい。
【００３３】
ここで、弁体２３の先端２３ａが流出口２４の堰２２の当接部２７に当接し、流出口２４が遮蔽され、さらに第２接続口１８内が分岐管２０と連通しているため、キャップＡを外すことにより、第２接続口１８内に水道水と共に滞留している切粉等は、その重力で分岐管２０から自然に流出し、水道本管に接続される分岐用仕切弁ＳＶに分岐配管２８を接続するに際し、切粉等が分岐配管２８下流に流れる心配がない。なお、流出口２４を閉塞するに当り、仕切弁２１が堰２２に当接した状態で、堰２２の上端面と仕切弁２１の上面とが面一になるようにすれば、第２接続口１８内の滞留物はより完全に外に排出される。
【００３４】
本実施形態についても、前記第１の実施形態のように、キャップＡを外すことにより、第２接続口１８内に水道水とともに、滞留している切粉等は、その重力で分岐管２０から自然流出し、水道本管に接続される分岐用仕切弁ＳＶに分岐配管を接続するに際し、切粉等が分岐配管２８下流に流れるのを防止できるものである。
【００３５】
ただし、本形態は、仕切弁２１の弁体２３を開放させて、水道本管の連通孔１６から水道水を吐出させると、この水道水は、流出口２４および堰２４に形成された複数の貫通孔２９、３０を通して分岐管２０へ流出されるものであり、流出口２４が弁体２３により閉じられるときは、複数の貫通孔２９、３０も同時に弁体２３の先端２３ａとの当接により閉塞される。
【００３６】
このように、堰２４に複数の貫通孔２９、３０が形成されると、分岐管２０へ流出量が増大するため、流出口２４の流出面積を更に縮小し、偏平させて分岐管２０を低位置に設定することができる。
【００３７】
以上、本発明の実施形態を図面によって説明してきたが、具体的な構成はこれら実施形態に限られるものではなく、本発明の要旨を逸脱しない範囲における変更や追加があっても本発明に含まれる。例えば、前記貫通孔２９、３０は、１個の長孔等にしてもよく、弁体２３で閉塞できるものであればよい。
【００３８】
【発明の効果】
本発明は次の効果を奏する。
【００３９】
（ａ）請求項１によれば、横方向の分岐管の高さ位置を低い位置に設定することができ、分岐管に接続される分岐配管の土被り量を必要量確保することができるとともに、堰の上方に設けた流出口が直管の第２接続口と常時連通しているため、この中に滞留している残留物を分岐管より容易に取出すことができ、分岐配管の接続時における切粉等の下流流下を防止でき、信頼性を得ることができる。
【００４０】
（ｂ）請求項２によれば、堰上方の流出口の他に分岐管へ流出する流量を更に増加させることができるので、その分流出口の縮小が可能となり分岐管の高さ位置を更に低い位置に設定することができる。
【００４１】
（ｃ）請求項３によれば、仕切弁の弁体形状を変えることなく汎用の仕切弁がそのまま使用できるので、製造原価を低減させることができる。
【００４２】
（ｄ）請求項４によれば、流出口をより低くでき、かつ大流量を確保できる。
【００４３】
（ｅ）請求項５によれば、第２接続口内の滞留物をより完全に外部に排出できる。
【００４４】
【図面の簡単な説明】
【図１】本発明の一実施形態を示す分岐用仕切弁の断面図である。
【図２】図１の平面部分断面図である。
【図３】図１に対応する作用を表わす断面図である。
【図４】本発明の他の実施形態を示す分岐用仕切弁の断面図である。
【図５】図３に対応する作用を表わす断面図である。
【図６】水道本管等が地中に埋設されている状態を示す説明図である。
【図７】従来の分岐用仕切弁の断面図である。
【図８】図７に対応する作用を表わす断面図である。
【符号の説明】
１        水道本管（既設管）
２        下水管
３        割Ｔ字管
４        止水弁
５        分岐配管
６        サドル
７        ボール弁
８        穿孔装置取付用の接続口
９        直管
１０        分岐配管用接続口
１１        分岐管
１２        弁操作部
１３        連通孔
１４        キャップ
１５        サドル
１６        接続口
１７        第１接続口
１８        第２接続口
１９        直管
２０        分岐管
２１        仕切弁
２２        堰
２３        弁体
２３ａ      先端
２４        偏平流出口
２５        キャップ
２６        連通孔
２７        当接部
２８        分岐配管
２９、３０  貫通孔
３１        操作部
ＢＶ        分岐弁
Ｇ          地面
Ｐ          接続口
ＳＶ        分岐用仕切弁
Ａ          キャップ
Ｃ          穿孔装置
【図１】
0003716022.tif 000002
【図２】
0003716022.tif 000003
【図３】
0003716022.tif 000004
【図４】
0003716022.tif 000005
【図５】
0003716022.tif 000006
【図６】
0003716022.tif 000007
【図７】
0003716022.tif 000008
【図８】
0003716022.tif 000009